(57)【特許請求の範囲】
【請求項１】
内容に応じて設定された複数の再生制限レベルのいずれかを指定することにより、この指定された前記再生制限レベルに対応した画像および音声の再生を行うディスク再生装置において、
２以上の前記再生制限レベルに対応した画像に関する再生データをディスク型記録媒体から読み出して画像および音声の再生を行うデータ再生手段と、
前記データ再生手段によって再生された画像を、１つの画面内に設定された複数の分割表示領域のそれぞれに対応させて表示を行う再生画像表示手段とを備え、
前記データ再生手段は、それぞれの前記再生制限レベルについて、再生開始時間から異なる経過時間に対応した複数の再生データを読み出しており、
前記再生画像表示手段は、２以上の前記再生制限レベルに対応した画像の表示を、前記経過時間が異なる複数の画像を対比させて行うことを特徴とするディスク再生装置。
【発明の詳細な説明】
【０００１】
【発明の属する技術分野】
本発明は、デジタルバーサタイルディスク（ＤＶＤ）等の再生動作を行うディスク再生装置に関する。
【０００２】
【従来の技術】
近年、ディスク型記録媒体としてＤＶＤが注目されている。このＤＶＤは、直径が１２ｃｍで厚さが１．２ｍｍであり、ＣＤ（コンパクトディスク）と同じ形状ながら、記録密度を上げることにより単層で４．７ＧＢ、２層で８．５ＧＢの記憶容量を実現している。
【０００３】
また、ＤＶＤには、ＭＰＥＧ２による画像データ圧縮技術やオーディオデータ圧縮技術の採用により、様々な種類のデータが混在して格納されているとともに、各種の機能を実現するための制御データが格納されている。ＤＶＤに映画を記録する場合を考えると、通常はビデオデータやオーディオデータが格納されるが、例えば、これら以外に複数の言語の字幕データを格納しておくことにより、利用者が選択した言語の字幕を表示することが可能となる。また、映画監督や出演者のプロフィール等の静止画データを格納しておくことにより、利用者の操作によってこれらの内容を表示することが可能になる。さらに、単一の被写体を複数の方向から撮影したり複数の被写体を個別に撮影することにより複数の撮影方向（最大９アングル）のビデオデータを格納しておいて、再生時に利用者の選択したアングルのビデオデータを再生することができる機能（マルチアングル機能）や、複数のストーリに対応するビデオデータやオーディオデータを格納しておくことによって利用者の選択に応じてストーリの展開を変えることができる機能（マルチストーリ機能）、内容（例えば過激度）に応じて画像を最大８段階の再生制限レベル（パレンタルレベル）に分類し、利用者によって選択されたパレンタルレベルに属する画像を再生することにより、暴力シーンなどの子供に不適切な画像の再生を制限することができる機能（以下、「パレンタル機能」と称する）を実現することもできる。ＤＶＤ再生装置は、これらの各種機能を実現するためのデータをＤＶＤから読み出して再生動作を行う。
【０００４】
上述したパレンタル機能を実現する場合には、各画像を最大８段階のパレンタルレベルに対応させる。具体的には、レベル８は最も緩いレベルであり、全ての画像が対応する。そして、レベル７にはレベル８に対応する画像の中から過激度の高い一部の画像が除かれたものが対応する。同様にして、レベルが下がるごとに過激度の高い画像が徐々に除かれていき、最も厳しいレベルであるレベル１には常に再生可能な過激でない画像のみが対応する。
【０００５】
パレンタルレベルを選択する場合には、例えば、図１６に示すようなパレンタルレベル選択画面が表示される。このパレンタルレベル選択画面には各パレンタルレベルに対応する選択ボタン５０１〜５０８が含まれている。そして、利用者が操作部のカーソルキーを操作して所望するパレンタルレベルに対応する選択ボタンにカーソルを合わせて設定キーを押下することにより、パレンタルレベルが選択される。あるいは、利用者が操作部のパレンタルレベル選択キーを押下して、所望するパレンタルレベルに対応するテンキーを押下することにより、パレンタルレベルが選択される。
【０００６】
このようにして利用者によって選択されたパレンタルレベルに対応する画像が再生される（以下、この再生動作を「パレンタル再生動作」と称する）。例えば、利用者がパレンタルレベル７を選択した場合には、パレンタルレベルが７以下に設定された画像が再生される。
【０００７】
【発明が解決しようとする課題】
ところで、各パレンタルレベルの基準は特に統一したものがあるわけではなく、各制作者が自由に規定することができる。例えば、ある過激度の画像について、パレンタルレベルレベル１〜４が選択された場合に再生対象とするか、あるいはパレンタルレベル１〜５が選択された場合に再生対象とするか等の判断は、各制作者が自由に行うことができる。このため、同じような過激度の画像であっても対応するパレンタルレベルが異なる場合がある。
【０００８】
しかし、従来のＤＶＤ再生装置においては、利用者は、単にキー操作等によってパレンタルレベルを選択しているだけであり、各パレンタルレベルにどの程度の過激度の画像が対応しているかについて確認しながら選択しているわけではない。すなわち、利用者は、各パレンタルレベルを選択した場合にどの程度の過激度の画像の再生動作が制限されるのかを予測してパレンタルレベルを選択している。このため、利用者の意図した通りに過激な画像の再生が制限されない場合があり、使い勝手が悪かった。
【０００９】
本発明は、このような点に鑑みて創作されたものであり、その目的は、再生動作が制限される画像の確認を容易に行うことが可能なディスク再生装置を提供することにある。
【００１０】
【課題を解決するための手段】
上述した課題を解決するために、本発明のディスク再生装置は、内容に応じて設定された複数の再生制限レベルのいずれかを指定することにより、この指定された再生制限レベルに対応した画像および音声の再生を行う場合に、データ再生手段によって、２以上の再生制限レベルに対応した画像に関する再生データをディスク型記録媒体から読み出して画像および音声の再生を行うとともに、再生画像表示手段によってデータ再生手段によって再生された画像を、１つの画面内に設定された複数の分割表示領域のそれぞれに対応させて表示を行っている。再生制限レベルが異なる複数の再生画像を同じ画面内に表示させることにより、それぞれの再生制限レベルに対応した画像の内容把握が容易になるとともに、再生レベルが異なることにより生じる内容の相違を明確に把握することができ、利用者は、再生動作が制限される画像の確認を容易に行うことができる。
【００１１】
また、上述した再生画像表示手段は、２以上の再生制限レベルに対応した画像の表示を、再生内容が同じ画像について同じ表示タイミングで行うことが望ましい。複数の再生制限レベルに対応した各画像の表示を同じ表示タイミングで行うことにより、それぞれの画像の内容を対比して見ることができるため、利用者は、再生動作が制限される画像の確認をさらに容易に行うことができる。
【００１２】
あるいは、上述したデータ再生手段は、それぞれの再生制限レベルについて、再生開始時間から異なる経過時間に対応した複数の再生データを読み出し、再生画像表示手段は、２以上の再生制限レベルに対応した画像の表示を、経過時間が異なる複数の画像を対比させて行うことが望ましい。再生時間が異なる画像、例えば各チャプタ毎の画像を並べて、複数の再生制限レベルの画像を対比させることができるため、利用者は、再生動作が制限される画像の確認を短時間で行うことができる。
【００１３】
【発明の実施の形態】
以下、本発明を適用した一実施形態のＤＶＤ再生装置について図面を参照しながら説明する。
【００１４】
（１）ＤＶＤに記録されたデータの内容
まず、ディスク型記録媒体としてのＤＶＤに記録されたデータの詳細について説明する。図１は、ＤＶＤのボリューム空間の構造を示す図である。同図に示すように、ＤＶＤのボリューム空間は、ＤＶＤの内周から外周に向かって、ボリューム・ファイル構造、ＤＶＤ−Ｖｉｄｅｏゾーン、ＤＶＤ  ｏｔｈｅｒゾーンによって構成されている。これらのうち、ＤＶＤ−Ｖｉｄｅｏゾーンには、再生動作に必要な各種のデータが含まれている。ＤＶＤ−Ｖｉｄｅｏゾーンは、ビデオマネージャ（ＶＭＧ）と各タイトルに対応する１つ以上のビデオタイトルセット（ＶＴＳ）によって構成されている。
【００１５】
図２は、ＶＭＧのデータ構造を示す図である。同図に示すように、ＶＭＧは、ビデオマネージャ情報（ＶＭＧＩ）、ＶＭＧメニュー用ビデオオブジェクトセット（ＶＭＧＭ＿ＶＯＢＳ）、ＶＭＧＩのバックアップ用ファイル（ＶＭＧＩ＿ＢＵＰ）によって構成されている。
【００１６】
ＶＭＧＩは、ＶＴＳに関する情報（例えばＶＴＳの数、各ＶＴＳの識別情報、ＤＶＤ内の各ＶＴＳの格納位置等）、タイトルメニューに表示されるタイトルの表示順、１つ以上のプログラムチェーン情報（ＰＧＣＩ）、ＤＶＤを識別するためのディスクＩＤ（ＤＶＤ＿ＩＤ）等が含まれている。ＶＭＧＭ＿ＶＯＢＳは、１つ以上のビデオオブジェクト（ＶＯＢ）によって構成されている。このＶＯＢは、タイトルを選択するためのメニュー画面（タイトルメニュー画面）を再生する際の再生データであるビデオデータを含んでいる。
【００１７】
図３は、ＶＴＳのデータ構造を示す図である。同図に示すように、ＶＴＳは、ビデオタイトルセット情報（ＶＴＳＩ）、ＶＴＳメニュー用ビデオオブジェクトセット（ＶＴＳＭ＿ＶＯＢＳ）、ＶＴＳタイトル用ビデオオブジェクトセット（ＶＴＳＴＴ＿ＶＯＢＳ）、ＶＴＳＩのバックアップ用ファイル（ＶＴＳＩ＿ＢＵＰ）によって構成されている。
【００１８】
ＶＴＳＩは、タイトルを識別するためのＶＴＳ＿ＩＤ等のタイトルに関する情報、１つ以上のＰＧＣＩ等が含まれている。ＶＴＳＭ＿ＶＯＢＳおよびＶＴＳＴＴ＿ＶＯＢＳは、１つ以上のＶＯＢによって構成されている。このＶＯＢは、ビデオデータやオーディオデータ等の再生データを含んでいる。
【００１９】
図４は、上述したＶＭＧＭ＿ＶＯＢＳ、ＶＴＳＭ＿ＶＯＢＳ、ＶＴＳＴＴ＿ＶＯＢＳに含まれるＶＯＢのデータ構造を示す図である。同図に示すように、ＶＯＢは、複数のセルによって構成されている。そして、各セルは、複数のビデオオブジェクトユニット（ＶＯＢＵ）によって構成されている。各ＶＯＢＵは、ナビゲーションパック（ＮＶ＿ＰＣＫ）と、ビデオパック（Ｖ＿ＰＣＫ）、サブピクチャパック（ＳＰ＿ＰＣＫ）およびオーディオパック（Ａ＿ＰＣＫ）の少なくとも１つを含んで構成されている。
【００２０】
ＮＶ＿ＰＣＫは、再生制御情報（ＰＣＩ）、データサーチ情報（ＤＳＩ）を含んで構成されている。ＰＣＩとＤＳＩには、ＶＯＢＵのデータ量や次に再生すべきＶＯＢＵの位置等が設定されている。Ｖ＿ＰＣＫ、ＳＰ＿ＰＣＫ、Ａ＿ＰＣＫは、それぞれ再生データの種別（動画、サブピクチャ、オーディオ）等の情報が含まれているパックヘッダ、パケットヘッダや、データ圧縮されたビデオデータ、サブピクチャデータ、オーディオデータ（圧縮再生データ）を含んで構成されている。
【００２１】
再生動作における論理的な再生単位であるプログラムチェーン（ＰＧＣ）は、プログラムチェーン情報（ＰＧＣＩ）と、１あるいは複数のＶＯＢに含まれる複数のセルによって構成される。例えば、ＶＭＧＩ内の１個のＰＧＣＩとＶＭＧＭ＿ＶＯＢＳ内の１あるいは複数のＶＯＢに含まれるセルによってＰＧＣが構成される。また、ＶＴＳＩ内の１個のＰＧＣＩとＶＴＳＭ＿ＶＯＢＳ内のＶＯＢに含まれるセルによってＰＧＣが構成される。あるいは、ＶＴＳＩ内の１個のＰＧＣＩとＶＴＳＴＴ＿ＶＯＢＳ内のＶＯＢに含まれるセルによってＰＧＣが構成される。
【００２２】
ＶＭＧＩ内のＰＧＣＩとＶＭＧＭ＿ＶＯＢＳ内のＶＯＢに含まれるセルによって構成されるＰＧＣは、タイトルメニューを表示するとともに、このタイトルメニュー内のいずれかの項目が選択されたときに、対応するデータの再生箇所を特定するためのものである。また、ＶＴＳＩ内のＰＧＣＩとＶＴＳＴＴ＿ＶＯＢＳ内のＶＯＢに含まれるセルによって構成されるＰＧＣは、タイトルメニュー内のいずれかの項目が選択されたときに、対応する内容の再生を行うために必要な各種のデータが含まれる。
【００２３】
図５は、ＰＧＣの構造の一例を示す図であり、ＶＴＳＩ内のＰＧＣＩとＶＴＳＴＴ＿ＶＯＢＳ内のＶＯＢに含まれるセルによって構成されるＰＧＣの構造が示されている。同図に示すように、例えば、ＰＧＣ＃１は、ＶＴＳＩ内のＰＧＣＩ＃１とＶＴＳＴＴ＿ＶＯＢＳ内のＶＯＢ＃１〜＃３に含まれるセルによって構成されている。また、ＰＧＣ＃２は、ＶＴＳＩ内のＰＧＣＩ＃２とＶＴＳＴＴ＿ＶＯＢＳ内のＶＯＢ＃４、＃５に含まれるセルによって構成されている。これらのＰＧＣは、ＰＧＣ番号によって特定される。このＰＧＣ番号は、ＶＭＧＩ内におけるＰＧＣＩの格納順によって決定される。例えば、図５に示すＰＧＣにおいては、ＶＴＳＩ内にＰＧＣＩ＃１、ＰＧＣＩ＃２の順でＰＧＣが格納されているため、ＰＧＣＩ＃１を含んで構成されるＰＧＣ＃１のＰＧＣ番号は「１」、ＰＧＣＩ＃２を含んで構成されるＰＧＣ＃２のＰＧＣ番号は「２」となる。
【００２４】
なお、ＶＭＧＩ内のＰＧＣＩとＶＭＧＭ＿ＶＯＢＳのＶＯＢ内のセルによって構成されるＰＧＣや、ＶＴＳＩ内のＰＧＣＩとＶＴＳＭ＿ＶＯＢＳのＶＯＢ内のセルによって構成されるＰＧＣも、図５に示したＰＧＣと同様の構造を有している。また、ＰＧＣＩには、対応する複数のＶＯＢの再生順序や、次に再生動作を行うＰＧＣに関する情報等が含まれている。
【００２５】
また、パレンタル機能を実現する場合においては、最大８つの再生制限レベルとしてのパレンタルレベルがそれぞれのＰＧＣに対応する。このパレンタルレベルに対応するＰＧＣは、パレンタルレベルを特定するためのパレンタルＩＤが含まれているＰＧＣＩと、そのパレンタルレベルにおいて再生対象となるセルによって構成される。図６は、各パレンタルレベルに対応するＰＧＣに含まれるセルの一例を示す図である。同図に示すように、パレンタル再生動作においてセル＃１〜セル＃１５が再生対象となる場合（再生順に＃１〜＃１５の番号が付与されているものとする）には、最も緩いレベルであるレベル８に対応するＰＧＣには、全てのセル＃１〜＃１５が含まれる。そして、次に緩いレベルであるレベル７に対応するＰＧＣには、レベル８に対応するＰＧＣ内のセルから過激度の高い画像のセル（例えばセル＃３、＃１０）が除かれたセル＃１、＃２、＃４〜＃９、＃１１〜＃１５が含まれる。同様にして、レベルが下がるごとに過激度の高い画像のセルが徐々に除かれていき、最も厳しいレベルであるレベル１には常に再生可能な過激でない画像のセル（例えばセル＃１、＃２、＃５、＃６、＃１３〜＃１５）のみが含まれる。
【００２６】
そして、図７に示すように、各パレンタルレベルに対応するＰＧＣによってパレンタルブロックが構成される。パレンタル再生動作においては、パレンタルブロックの中から利用者が選択したパレンタルレベルに対応するＰＧＣが処理される。
【００２７】
再生動作の際に実行されるナビゲーションコマンドには、利用者の操作指示に対応して実行されるボタンコマンド（ＢＴＮ＿ＣＭＤ）、ＰＧＣの再生開始前に実行されるプリコマンド（ＰＲＥ＿ＣＭＤ）、ＰＧＣ内の１つのセルの再生が終了するごとに実行されるセルコマンド（Ｃ＿ＣＭＤ）、ＰＧＣの再生終了後に実行されるポストコマンド（ＰＯＳＴ＿ＣＭＤ）がある。これらの内、ＢＴＮ＿ＣＭＤは、上述したＰＣＩに含まれており、ＰＲＥ＿ＣＭＤ、Ｃ＿ＣＭＤ、ＰＯＳＴ＿ＣＭＤは、上述したＰＧＣＩに含まれている。
【００２８】
ナビゲーションコマンドの実行時には、ナビゲーションパラメータが変数として用いられる。このナビゲーションパラメータには、システムパラメータ（ＳＰＲＭ）とゼネラルパラメータ（ＧＰＲＭ）とがあり、ＤＶＤ再生装置の内部にそれぞれの格納領域が設けられる。ＳＰＲＭとＧＰＲＭは、ナビゲーションコマンドの実行に応じて設定あるいは更新され、それ以降のナビゲーションコマンドの実行時に変数として用いられる。
【００２９】
例えば、利用者によってパレンタルレベルが選択された場合には、対応するＢＴＮ＿ＣＭＤが実行され、その選択されたパレンタルレベルがＳＰＲＭとしてＤＶＤ再生装置内の格納領域に格納される。そして、パレンタルレベル再生動作においては、選択されたパレンタルレベルに対応するＰＧＣの再生開始前にＰＲＥ＿ＣＭＤが実行され、ＰＧＣ内の１つのセルの再生が終了するごとにＣ＿ＣＭＤが実行され、ＰＧＣの再生終了後にＰＯＳＴ＿ＣＭＤが実行される。
【００３０】
（２）ＤＶＤ再生装置の全体構成
図８は、本発明を適用した一実施形態のＤＶＤ再生装置の全体構成を示す図である。同図に示すＤＶＤ再生装置１００は、ＤＶＤ１０に記録された信号を読み取るためのスピンドルモータ１２、光ピックアップ１４、送りモータ１６およびサーボ制御部１８と、読み取った信号の増幅等を行って画像表示や音声出力を行うためのＲＦアンプ２２、デジタル信号処理部２４、４個のバッファ用ＲＡＭ２６、３４、３８、４２、ストリーム分離部３０、オーディオデコーダ３２、ビデオデコーダ３６、サブピクチャデコーダ４０、ビデオプロセッサ４４、ビデオエンコーダ４６、ディスプレイ装置４７、デジタル−アナログ（Ｄ／Ａ）変換器４８およびスピーカ４９と、利用者が各種の操作指示を入力するための操作部５８と、ＤＶＤ再生装置１００の全体を制御するためのシステムコントローラ６０、ＲＡＭ６２とを含んで構成されている。
【００３１】
スピンドルモータ１２は、ＤＶＤ１０を一定の線速度で回転させる。光ピックアップ１４は、ＤＶＤ１０に記録されたデータを検出するものであり、例えば半導体レーザとホトダイオードとが内蔵されている。送りモータ１６は、光ピックアップ１４をＤＶＤ１０の径方向に移動させるものである。
【００３２】
サーボ制御部１８は、システムコントローラ６０の指示に応じて、上述したスピンドルモータ１２および送りモータ１６を駆動するとともに、光ピックアップ１４に内蔵された対物レンズ（図示せず）を動かすことにより半導体レーザの焦点位置をＤＶＤ１０の記録面と垂直方向および水平方向に移動させる。また、サーボ制御部１８は、ＤＶＤ１０からのデータの読み取りに必要な各種のサーボ（フォーカスサーボ、トラッキングサーボ、回転サーボ）制御を行う。
【００３３】
ＲＦアンプ２２は、光ピックアップ１４に内蔵されたホトダイオードから出力される電気信号を増幅するものであり、ＤＶＤ再生装置１００に大きな振動や衝撃等が加わってトラックジャンプが発生すると、トラックジャンプ検出信号を出力する機能も有している。
【００３４】
デジタル信号処理部２４は、ＲＦアンプ２２から出力される信号に対して、デジタルデータに変換した後にＤＶＤ１０のデータフォーマットに応じた信号復調処理（８−１６復調処理）と誤り訂正処理を行い、ＲＡＭ２６に格納する。そして、デジタル信号処理部２４は、システムコントローラ６０の指示に応じて、ＲＡＭ２６に格納したデータからＶＭＧＩやＶＴＳＩを抽出してシステムコントローラ６０に出力するとともに、ＶＯＢＵを抽出してストリーム分離部３０に出力する。
【００３５】
ストリーム分離部３０は、システムコントローラ６０の指示に応じて、デジタル信号処理部２４から出力されるＶＯＢＵを構成するパックヘッダを解析することにより、オーディオパック（Ａ＿ＰＣＫ）、ビデオパック（Ｖ＿ＰＣＫ）、サブピクチャパック（ＳＰ＿ＰＣＫ）、ナビゲーションパック（ＮＶ＿ＰＣＫ）を分離する。ストリーム分離部３０によって分離されたオーディオパックはオーディオデコーダ３２に出力され、ビデオパックはビデオデコーダ３６に出力され、サブピクチャパックはサブピクチャデコーダ４０に出力され、ナビゲーションパックはシステムコントローラ６０に転送される。
【００３６】
オーディオデコーダ３２は、ストリーム分離部３０から出力されるオーディオパックに対して所定のデコード処理を行ってオーディオデータを出力する。ビデオデコーダ３６は、ストリーム分離部３０から出力されるビデオパックに対して所定のデコード処理を行ってビデオデータを出力する。サブピクチャデコーダ４０は、ストリーム分離部３０から出力されるサブピクチャパックに対して所定のデコード処理を行ってサブピクチャデータを出力する。
【００３７】
ビデオプロセッサ４４は、システムコントローラ６０の指示に応じて、ビデオデコーダ３６から出力されるビデオデータとサブピクチャデコーダ４０から出力されるサブピクチャデータとを合成した画像データを生成し、ビデオエンコーダ４６に出力する。ビデオエンコーダ４６は、ビデオプロセッサ４４から出力される画像データを表示用の画像信号に変換する。この画像信号がディスプレイ装置４７に出力されることによって、画像が表示される。
【００３８】
Ｄ／Ａ変換器４８は、オーディオデコーダ３２から出力されるオーディオデータをアナログのオーディオ信号に変換する。このオーディオ信号がスピーカ４９に出力されることによって、オーディオ音声の再生が行われる。
【００３９】
操作部５８は、タイトル再生の指示を与えるための再生キーや全てのパレンタルレベルに対応する画像を同一画面に再生する指示を与えるためのパレンタルレベルデモ再生キー、全てのパレンタルレベルに対応する画像を再生するために必要な暗証番号等を入力するためのテンキー、左右上下のカーソルキー、表示画面上のカーソル位置にある項目の確定を行う設定キー等の各種操作キーを備えており、キーの操作状態に応じた信号がシステムコントローラ６０に向けて出力される。
【００４０】
システムコントローラ６０は、各種のサーボ指令をサーボ制御部１８に出力したり、利用者の操作指示に応じた画像生成指示をビデオプロセッサ４４に出力する等、全機能ブロックの制御を行う。具体的には、システムコントローラ６０は、デジタル信号処理部２４から出力されるデータに含まれるＶＭＧＩ、ＶＴＳＩ、ストリーム分離部３０から出力されるＮＶ＿ＰＣＫを受け取って、これらに含まれるナビゲーションコマンドを実行することにより、各種のサーボ指令をサーボ制御部１８に出力したり、利用者の操作指示に応じた画像生成指示をビデオプロセッサ４４に出力する等、再生動作に必要な各種の制御を行う。また、システムコントローラ６０は、ＲＡＭ６２をナビゲーションパラメータ（ＳＰＲＭとＧＰＲＭ）の格納領域として用いて、ナビゲーションコマンドの実行に応じてＳＰＲＭとＧＰＲＭを設定あるいは更新して、それ以降のナビゲーションコマンドの実行時に変数として用いる。
【００４１】
また、システムコントローラ６０は、利用者によって操作部５８のパレンタルレベルデモ再生キーが押下され、さらにテンキーが押下されて暗証番号が入力された場合には、全てのパレンタルレベルに対応する画像を同一画面に同一の再生タイミングで再生する制御（パレンタルレベルのデモ再生の制御）を行う。具体的には、システムコントローラ６０は、サーボ制御部１８に対して全てのパレンタルレベル対応するＰＧＣをＤＶＤ１０から読み出す指示を出力するとともに、デジタル信号処理部２４に対してこれらの各ＰＧＣに含まれるセル内のＶＯＢＵからビデオパック等を抽出してストリーム分離部３０に出力する指示を出して、これらのビデオパック等がデコードされるように制御する。また、システムコントローラ６０は、ビデオプロセッサ４４に対して、各パレンタルレベルに対応する画像の表示領域を設けて全てのパレンタルレベルに対応する画像を同一画面に同一の再生タイミングで再生されるように画像生成指示を出力する等の制御を行う。
【００４２】
例えば、図６に示したように、１〜８の各パレンタルレベルに対応するセルがＰＧＣ内に含まれている場合を考えると、システムコントローラ６０は、ディスプレイ装置４７におけるパレンタルレベル８に対応する画像の分割表示領域にセル＃１〜＃１５の画像を再生する制御を行う。また、システムコントローラ６０は、ディスプレイ装置４７におけるパレンタルレベル７に対応する画像の分割表示領域にセル＃１、＃２、＃４〜＃９、＃１１〜＃１５の画像を再生する制御を行う。
【００４３】
ただし、パレンタルレベル７に対応するＰＧＣには、セル＃３やセル＃１０は含まれていないため、単にセル＃１、＃２、＃４〜＃９、＃１１〜＃１５の画像を順次再生したのでは、パレンタルレベル８に対応する画像の再生タイミングとパレンタルレベル７に対応する画像の再生タイミングにずれが生じて、画像同士の比較が困難となる。このため、システムコントローラ６０は、各パレンタルレベルのそれぞれに対応するＰＧＣ内のセルの中から再生時間帯が同じセルを同時に再生する制御を行うことにより、各パレンタルレベルのそれぞれに対応する画像の再生タイミングを同一にする。例えば、パレンタルレベル８に対応する画像の表示領域にセル＃３やセル＃１０の画像が再生されている間は、システムコントローラ６０は、パレンタルレベル７に対応する画像の表示領域に「再生されません」等の画像の再生が制限される旨のメッセージを表示するための制御を行うことにより、パレンタルレベル８に対応する画像の再生タイミングとパレンタルレベル７に対応する画像の再生タイミングを同一にする。他のパレンタルレベルに対応する画像を再生する場合にも、システムコントローラ６０は同様の制御を行って、各パレンタルレベルに対応する画像の再生タイミングが同一となるようにする。
【００４４】
なお、暗証番号の入力を必要とするのは、全てのパレンタルレベルに対応する画像が再生されることにより過激な画像も再生されるため、このような過激な画像を子供が見ることのないように、暗証番号が入力された場合にのみ全てのパレンタルレベルに対応する画像を再生させることとしたものである。
【００４５】
ビデオプロセッサ４４、ビデオエンコーダ４６、ディスプレイ装置４７、Ｄ／Ａ変換器４８およびスピーカ４９を除くＤＶＤ再生装置１００の全体がデータ再生手段に、システムコントローラ６０、ビデオプロセッサ４４、ビデオエンコーダ４６が再生画像表示手段にそれぞれ対応する。
【００４６】
（３）ＤＶＤ再生装置の動作
次に、上述したＤＶＤ再生装置１００の動作を説明する。図９は、ＤＶＤ再生装置１００において、パレンタルレベルのデモ再生を行う場合の動作手順を示す流れ図である。システムコントローラ６０は、利用者によってＤＶＤ１０が装填されたか否かを判定する（ステップ１００）。ＤＶＤ１０が装填されると、次にシステムコントローラ６０は、オープニング画面を一定時間表示させた後に（ステップ１０１）、タイトルメニュー画面の表示を行う（ステップ１０２）。例えば、ＶＭＧに含まれるＰＧＣＩに基づいて、オープニング画面に対応するＶＯＢが読み出され、所定のオープニング画面の表示が行われる。また、ＶＭＧＩ内のＰＧＣＩ＿ＵＴ（プログラムチェーン情報ユニットテーブル）に基づいて、オープニング画面の次に表示されるタイトルメニューの再生箇所が特定できるため、続けてタイトルメニューの表示動作が開始される。
【００４７】
次に、システムコントローラ６０は、タイトルが選択されたか否かを判定する（ステップ１０３）。利用者によって操作部５８のカーソルキーが操作されてタイトルメニューに表示されたタイトルにカーソルが合わせられ、さらに設定キーが押下されてタイトル選択が確定されると、システムコントローラ６０は、パレンタルレベルのデモ再生が指示されたか否かを判定する（ステップ１０４）。
【００４８】
タイトルが選択されてから所定時間内に利用者によって操作部５８のパレンタルレベルデモ再生キーが押下されて、パレンタルレベルのデモ再生が指示された場合には、次に、システムコントローラ６０は、利用者によって操作部５８のテンキーが押下されて、正しい暗証番号が入力されたか否かを判定する（ステップ１０５）。
【００４９】
パレンタルレベルのデモ再生が指示されてから所定時間内に正しい暗証番号が入力された場合には、システムコントローラ６０は、パレンタルレベルのデモ再生のための制御を行う。
【００５０】
すなわち、システムコントローラ６０は、サーボ制御部１８に指示を出して、全てのパレンタルレベルに対応するＰＧＣをＤＶＤ１０から読み出す制御を行うとともに（ステップ１０６）、デジタル信号処理部２４に指示を出して、これらの読み出された各ＰＧＣに含まれるセル内のＶＯＢＵからビデオパック等を抽出してストリーム分離部３０に出力させることにより、これらのビデオパック等をデコードする制御を行う（ステップ１０７）。
【００５１】
次に、システムコントローラ６０は、ビデオプロセッサ４４に指示を出して、パレンタルレベル選択画面上に各パレンタルレベルに対応する画像の表示領域を設ける制御を行う（ステップ１０８）。例えば、パレンタルレベルがレベル１からレベル８まで設定されている場合には、図１０に示すように、１つの画面内に９つの分割表示領域が用意されており、これらの９つの分割表示領域のうちの８つに各パレンタルレベルに対応する画像が割り当てられる。
【００５２】
次に、システムコントローラ６０は、ビデオプロセッサ４４に指示を出して、同一画面に全てのパレンタルレベルに対応する画像を同一の再生タイミングで再生するための制御を行う（ステップ１０９）。例えば、レベル１〜８の各パレンタルレベルに対応するＰＧＣ内に図６に示したようにセルが含まれている場合を考えると、パレンタルレベル８に対応する画像の表示領域には、セル＃１から順にすべてのセルの画像が再生される。また、セル＃１はすべてのパレンタルレベルに対応するＰＧＣに含まれているため、図１１に示すように、パレンタルレベル１〜７に対応する画像の表示領域にセル＃１の画像が再生される。一方、セル＃１１はパレンタルレベル５〜７には含まれているが、パレンタルレベル１〜４には含まれていない。このため、再生動作が進んでパレンタルレベル８に対応する画像の表示領域にセル＃１１の画像が再生されているときには、図１２に示すように、パレンタルレベル５〜７に対応する画像の表示領域には、パレンタルレベル８に対応する表示領域と同様にセル＃１１の画像が再生されるが、パレンタルレベル１〜４に対応する画像の表示領域には、例えば「再生されません」等の、再生されない旨のメッセージが表示される。
【００５３】
なお、これらの各パレンタルレベルに対応する画像は、早送りあるいは巻き戻して再生することも可能であり、利用者によって早送りあるいは巻き戻しが指示された場合には、同一画面に再生されている全てのパレンタルレベルに対応する画像が同時に早送りあるいは巻き戻しされる。全てのパレンタルレベルに対応する画像が同時に早送りあるいは巻き戻しされるため、再生タイミングを同一に保つことが可能となる。
【００５４】
ところで、図１０に示したように、画面上には９分割された領域が設けられ、これらのうちの８つに各パレンタルレベルに対応する画像の表示領域が割り当てられる場合には、領域が１つ余ることになるが、この余った領域には、例えばその時に選択されているパレンタルレベル（例えば初期設定されているパレンタルレベル）に対応する画像を表示するようにしてもよい。この場合には、その時に選択されているパレンタルレベルと他のパレンタルレベルとの比較を容易に行うことができる。
【００５５】
また、タイトルが選択されてから所定時間内にパレンタルレベルのデモ再生が指示されなかった場合（ステップ１０４で否定判断した場合）や、正しい暗証番号が入力されなかった場合（ステップ１０５で否定判断した場合）には、システムコントローラ６０は、通常の再生動作を開始する（ステップ１１０）。
【００５６】
このように、ＤＶＤ再生装置１００は、パレンタルレベルのデモ再生が指示された場合には、同一画面に全てのパレンタルレベルに対応する画像を同一の再生タイミングで再生する。このため、利用者は、各パレンタルレベルに対応する画像を容易に確認することが可能となるとともに、各パレンタルレベルに対応する画像同士の比較を容易に行うことが可能となる。したがって、利用者は、どのパレンタルレベルを選択した場合にどの画像の再生が制限されるのかを容易に確認することができる。
【００５７】
なお、本発明は上記実施形態に限定されるものではなく、本発明の要旨の範囲内で種々の変形実施が可能である。例えば、上述した実施形態では、タイトルの再生を開始する前にパレンタルレベルのデモ再生が指示された場合について説明したが、タイトルを再生中にパレンタルレベルのデモ再生が指示された場合についても、同様にパレンタルレベルのデモ再生を行うことができるようにしてもよい。
【００５８】
また、上述した実施形態では、全てのパレンタルレベルに対応する画像を同一画面に再生したが、必ずしも全てのパレンタルレベルに対応する画像を同一画面に再生する必要はなく、２以上のパレンタルレベルに対応する画像を順番に画面に再生することにより、結果的に全てのパレンタルレベルに対応する画像が再生されるようにしてもよい。
【００５９】
また、上述した実施形態では、１つのパレンタルレベルに対応するＰＧＣに含まれる各セルは、再生タイミングに応じて１つずつ順次再生されるが、１つのパレンタルレベルに対応するＰＧＣに含まれるセルのうちの複数個が同時に再生されるようにしてもよい。
【００６０】
例えば、図６に示したように、レベル１〜８の各パレンタルレベルに対応するＰＧＣ内にセルが含まれている場合には、図１３に示すように、各パレンタルレベルにおいて、対応するＰＧＣに含まれるセルのうちの複数個のセルの画像が同一画面に再生されるようにしたり、あるいは、図１４に示すように、その時に選択されているパレンタルレベル（例えばレベル８）に対応するＰＧＣに含まれるセルのうちの複数個のセルの画像が同一画面に再生されるとともに、その選択されているパレンタルレベルより基準の厳しいパレンタルレベルのうち利用者が指定したもの（例えばレベル７）に対応するセルのうちの複数個のセルの画像が同一画面に再生されるようにしてもよい。この場合にも、利用者は、各パレンタルレベルに対応する画像を容易に確認することが可能となるとともに、各パレンタルレベルに対応する画像同士の比較を容易に行うことが可能となる。また、画像の再生はセル単位で制限されるため、複数のセルの画像が同一画面に再生されることにより、再生制限される画像をより容易に確認することができる。
【００６１】
例えば、図１３および図１４に示した各セルは、タイトルに含まれるチャプタ毎に抽出したものが用いられており、一般には再生時間が異なる各チャプタの再生が異なるタイミングで終了した場合には、再び各チャプタに対応したセルを用いて再生動作が繰り返される。また、図１３あるいは図１４に示したように、各分割表示領域に異なる動画を表示するためには、同時に表示する動画の数に対応する速度でＤＶＤ１０からデータを読み出す必要がある。例えば、異なる９つの動画を同時に再生するためには、７倍速程度でＤＶＤ１０からデータを読み出す必要がある。
【００６２】
また、図１１〜図１４に示した画面をそのままパレンタルレベル選択画面として用いて、例えば、利用者によって操作部５８のカーソルキーが操作されていずれかのパレンタルレベルに対応する画像の表示領域にカーソルが合わせられ、さらに設定キーが押下されてパレンタルレベルが選択された場合には、システムコントローラ６０は、その選択されたパレンタルレベルに対応する再生動作の制御を行う。この場合には、図１６に示したパレンタルレベル選択画面を表示させることなく直接パレンタルレベルを選択することが可能になるため、操作性を向上させることができる。
【００６３】
また、パレンタルレベルに対応する画像の分割表示領域の数は、パレンタルレベルのレベル総数に応じて設定すればよい。例えば、パレンタルレベルのレベル総数が４の場合には、画面を４分割して、これらの４つの領域に各パレンタルレベルに対応する画像の各分割表示領域が割り当てられるようにすればよい。
【００６４】
また、上述した実施形態では、図６に示したようにパレンタルレベルが下がるにつれて、そのパレンタルレベルに対応するＰＧＣ内のセルが徐々に除去される場合を説明したが、除去されたセルの代わりに他のセルが含まれている場合がある。図１５は、除去されたセルの代わりに他のセルが含まれる場合の各パレンタルレベルに対応するＰＧＣに含まれるセルの一例を示す図である。同図に示す点線部のセル＃Ａ〜＃Ｈは、除去されたセルの代わりに挿入されたセルである。例えば、セル＃３の代わりにセル＃Ａが含まれており、セル＃４の代わりにセル＃Ｂが含まれている。このような場合には、各パレンタルレベルに対応するＰＧＣに含まれるセルを順次再生することにより、各パレンタルレベルに対応する画像の再生タイミングを同一にすることができる。
【００６５】
また、上述した実施形態では、各分割表示領域に連続した動画を再生するようにしたが、動画に代えてコマ送り画像を再生するようにしてもよい。この場合には、例えばＭＰＥＧ２の形式で記録されたビデオデータからＩピクチャのみを抽出して再生することで、ビデオデコーダ３６による処理の簡略化が可能になる。
【００６６】
【発明の効果】
上述したように、本発明によれば、再生制限レベルが異なる複数の再生画像を同じ画面内に表示させることにより、それぞれの再生制限レベルに対応した画像の内容把握が容易になるとともに、再生レベルが異なることにより生じる内容の相違を明確に把握することができ、利用者は、再生動作が制限される画像の確認を容易に行うことができる。
【図面の簡単な説明】
【図１】ＤＶＤのボリューム空間の構造を示す図である。
【図２】ＶＭＧのデータ構造を示す図である。
【図３】ＶＴＳのデータ構造を示す図である。
【図４】ＶＯＢのデータ構造を示す図である。
【図５】ＰＧＣの構造の一例を示す図である。
【図６】各パレンタルレベルに対応するＰＧＣに含まれるセルの一例を示す図である。
【図７】パレンタルブロックの構造の一例を示す図である。
【図８】一実施形態のＤＶＤ再生装置の全体構成を示す図である。
【図９】一実施形態のＤＶＤ再生装置におけるパレンタルレベルのデモ再生を行う場合の動作手順を示す流れ図である。
【図１０】各レベルに対応する画像の表示領域の一例を示す図である。
【図１１】各レベルに対応する画像の表示領域にセルの画像が再生された場合の表示の一例を示す図である。
【図１２】各レベルに対応する画像の表示領域にセルの画像が再生された場合の表示の他の例を示す図である。
【図１３】パレンタルレベルに対応するＰＧＣに含まれるセルのうちの複数個のセルの画像が同一画面に再生される場合の表示の一例を示す図である。
【図１４】パレンタルレベルに対応するＰＧＣに含まれるセルのうちの複数個のセルの画像が同一画面に再生される場合の表示の他の例を示す図である。
【図１５】各パレンタルレベルに対応するＰＧＣに含まれるセルの他の例を示す図である。
【図１６】パレンタルレベル選択画面の一例を示す図である。
【符号の説明】
１０  ＤＶＤ
１８  サーボ制御部
２４  デジタル信号処理部
３０  ストリーム分離部
３２  オーディオデコーダ
３６  ビデオデコーダ
４０  サブピクチャデコーダ
４４  ビデオプロセッサ
５８  操作部
６０  システムコントローラ
６２  ＲＡＭ
【図１】
0003698915.tif 000002
【図２】
0003698915.tif 000003
【図３】
0003698915.tif 000004
【図４】
0003698915.tif 000005
【図５】
0003698915.tif 000006
【図６】
0003698915.tif 000007
【図７】
0003698915.tif 000008
【図８】
0003698915.tif 000009
【図９】
0003698915.tif 000010
【図１０】
0003698915.tif 000011
【図１１】
0003698915.tif 000012
【図１２】
0003698915.tif 000013
【図１３】
0003698915.tif 000014
【図１４】
0003698915.tif 000015
【図１５】
0003698915.tif 000016
【図１６】
0003698915.tif 000017